(57)【要約】【課題】部品の誤接続が生じているような場合に確実に回路を遮断すると共に、溶断により回路の復旧が容易にできない状況が頻繁に生じるのを防止する。【解決手段】容量が比較的小さい２つのヒュージブルリンク１３、１４を並列に接続して遮断回路を構成する。各々のヒュージブルリンクの容量を小さくすることで個体差に起因する特性のばらつきが減り、遮断精度が向上する。第１ヒュージブルリンク１３の抵抗値を第２ヒュージブルリンク１４の抵抗値よりも小さくして、一方に電流を集中させる。第１ヒュージブルリンク１３が溶断した後で、第２ヒュージブルリンク１４が溶断する。遮断電流の定格値が互いに異なる２つのヒュージブルリンク１３、１４を使う。バッテリーが逆極性で接続された時に確実に電流を遮断できる。【選択図】図１
2017139903.tif 000002
【特許請求の範囲】
【請求項１】
第１の規定値以上の過電流に対して物理的に回路を遮断する第１の電流遮断器と、
前記第１の規定値とは異なる第２の規定値以上の過電流に対して物理的に回路を遮断する第２の電流遮断器と、
を備え、前記第１の電流遮断器と前記第２の電流遮断器とが並列接続され、電源電流の経路上に配置される、
ことを特徴とする電流遮断装置。
【請求項２】
前記第１の電流遮断器および前記第２の電流遮断器の各々がヒュージブルリンクであり、
前記第１の規定値を、前記第２の規定値よりも小さく、かつ、前記第１の電流遮断器の電気抵抗を、前記第２の電流遮断器の電気抵抗よりも小さく定めてある、
ことを特徴とする請求項１に記載の電流遮断装置。
【請求項３】
前記第１の規定値および前記第２の規定値は、電源電流の前記通過経路上における全体の電流の所望の遮断値よりも小さい、
ことを特徴とする請求項１または請求項２に記載の電流遮断装置。
【請求項４】
前記第１の電流遮断器と前記第２の電流遮断器とによって構成された並列回路の一端が車両に搭載された発電機と接続され、前記並列回路の他端が前記車両に搭載されたバッテリーと接続される、
ことを特徴とする請求項１乃至請求項３のいずれか１項に記載の電流遮断装置。
【発明の詳細な説明】
【技術分野】
【０００１】
本発明は、車両等の電源回路で異常な電流を遮断するために利用可能な電流遮断装置に関する。
【背景技術】
【０００２】
例えば、様々な車両においては、電源としてオルタネータ（発電機）やバッテリーが搭載されており、これらが供給する電源電力をワイヤハーネスを経由して負荷である様々な電装品にそれぞれ給電できるように構成されている。このような電源回路においては、故障の発生や短絡の発生などの際に、電源から負荷へ向かって異常に大きな電流が流れる可能性がある。また、もしも異常に大きな電流が流れ続けると、例えばワイヤハーネスの異常な発熱により、発煙や火災が生じる可能性も考えられる。そのため、例えば大電流が流れた時に溶断するヒューズを電源回路の途中に挿入するのが一般的である。
【０００３】
また、車両の主要な電源回路に関しては、ワイヤハーネスの一部分にヒュージブルリンク（fusible link）と呼ばれる部品を挿入し、ワイヤハーネスの発煙や火災を未然に防止する場合がある。ヒュージブルリンクは、大電流が流れて異常な発熱が生じる時に、ワイヤハーネスの他の箇所で破損が生じる前に溶断し、問題の発生を最小限に食い止めることができる。すなわち、ヒュージブルリンクを採用することにより、特定の部位以外でワイヤハーネスが異常発熱したり、破損するのを防止できるので、故障時のメンテナンスが容易になる。
【０００４】
電源における過大な電流に対する保護のための従来技術として、例えば特許文献１〜特許文献６が知られている。特許文献１に示されたＵＳＢ接続機器の入力保護回路は、抵抗器とヒューズとの直列回路を設けると共に、この直列回路と並列に、半導体スイッチを接続している。この入力保護回路は、突入電流の抑制、および過電流保護を行う機能を有し、電圧降下を減らすことを目的としている。
【０００５】
また、特許文献２に示された限流器は、主回路に半導体スイッチがあり、この主回路から分岐した箇所に１番目のヒューズが接続され、半導体スイッチと１番目のヒューズとが並列に接続されている。また、半導体スイッチがオフした後で、１番目のヒューズが溶断する。１番目のヒューズと並列に、２番目のヒューズと抵抗の回路が接続してある。２番目のヒューズは１番目のヒューズが溶断した後で溶断する。
【０００６】
また、特許文献３に示されたインバータ装置においては、電源ラインに、抵抗器とヒューズとの直列回路と、これに並列に接続された電磁接触器のスイッチがある。そして、故障時にはスイッチを開いてヒューズを溶断させることが開示されている。
【０００７】
また、特許文献４に示された車両用電源装置は、オンオフ可能なバイパス回路をヒューズと直列に接続してある。また、バイパス回路の電流容量をヒューズの電流容量よりも小さくすることが開示されている。
【０００８】
また、特許文献５に示された車両用電源遮断装置は、ヒューズと直列に半導体スイッチを接続している。また、障害発生時に半導体スイッチを制御してヒューズを確実に溶断させることが開示されている。
【０００９】
また、特許文献６に示された直流遮断装置は、直流電源の給電部において、正極側ラインに半導体スイッチを接続すると共に、負極側ラインにヒューズを接続することが開示されている。
【先行技術文献】
【特許文献】
【００１０】
【特許文献１】特開２０１１−１０１５１２号公報
【特許文献２】特開２０１３−２７３０８号公報
【特許文献３】特開２０１３−１９２３９２号公報
【特許文献４】特開２０１４−１５１３３号公報
【特許文献５】特開２０１４−１７７２０８号公報
【特許文献６】特開２０１５−１１９３３号公報
【発明の概要】
【発明が解決しようとする課題】
【００１１】
ところで、電源回路にヒュージブルリンクが備わっている場合には、過大な電流が流れた場合にワイヤハーネスの異常な発熱を防止して火災の発生を未然に防ぐために、ヒュージブルリンクが確実に溶断する必要がある。しかしながら、ヒュージブルリンクが溶断した場合には、部品の交換を行わない限り車両の機能を元に復旧させることができないので、頻繁にヒュージブルリンクが溶断するような事態は避けなければならない。
【００１２】
そのため、例えば図２に示す例のように、オルタネータ（ＡＬＴ）と、負荷およびバッテリー（ＢＡＴ）との間にヒュージブルリンク（ＦＬ）が接続されている状況において、オルタネータの定格最大電流が２００［Ａ］の場合を想定すると、その２倍の４００［Ａ］の程度の電流が流れたときに溶断するように、ヒュージブルリンクの遮断電流の仕様を決定し、ワイヤハーネスにおける過熱の発生を防ぐ必要がある。
【００１３】
例えば、図２に示すような車両上の電源回路構成において、通常はバッテリーの正極側端子１０３ｐが正極側電源ライン１０１と接続され、バッテリーの負極側端子１０３ｎがアースライン１０２と接続される。しかし、誤った接続作業により、図２に示すようにバッテリーの正極側端子１０３ｐおよび負極側端子１０３ｎが逆極性の状態で接続されてしまう場合がある。
【００１４】
オルタネータは図示しない整流用のダイオードを内蔵しており、直流の電圧を正極側電源ライン１０１とアースライン１０２との間に供給する。したがって、図２に示すような誤った接続状態では、共に直流電圧を出力するオルタネータとバッテリーとが直列に接続されて閉回路を形成する。つまり、短絡した状態と同様になるので、正極側電源ライン１０１およびアースライン１０２を経由して大電流が流れる。
【００１５】
このような場合は、大電流が流れると、正極側電源ライン１０１等を含むワイヤハーネス上で異常な発熱や火災が生じる前に、ヒュージブルリンク（ＦＬ）が自然に溶断することにより、回路が開き、電流が遮断されることが想定される。
【００１６】
しかしながら、図２のようにバッテリーが逆極性で接続された場合に流れる電流の大きさは、例えば正極側電源ライン１０１とアースライン１０２とが直接短絡したような場合と比べると小さくなる傾向がある。そのため、バッテリーが逆極性で接続されていても、ヒュージブルリンク（ＦＬ）の溶断が発生せず、電源回路の保護機能が働かない場合がある。
【００１７】
また、ヒュージブルリンクについては、一般的に、流す電流の容量が大きくなると動作精度が低下する。つまり、個体差による遮断電流のばらつきが大きくなる傾向がある。そのため、バッテリーが逆極性で接続された場合に確実にヒュージブルリンクが溶断するよう、遮断電流の定格値が小さいヒュージブルリンクを採用したとすると、バッテリーが逆極性で接続されていない状況であっても、何らかの原因により大電流が流れると簡単にヒュージブルリンクが溶断し、部品の交換が必要になる場合がある。つまり、ヒュージブルリンクの誤作動が生じやすく、メンテナンスのために大きな労力とコストがかかる。
【００１８】
なお、特許文献２の図４に示された回路においては、１番目のパワーヒューズ５０と、２番目のパワーヒューズ６０と、電流制限抵抗部７０とが備えられており、２番目のパワーヒューズ６０と電流制限抵抗部７０との直列回路と、１番目のパワーヒューズ５０とが並列に接続されている。しかし、このような回路を電源回路に用いる場合には、電流制限抵抗部７０の抵抗器において大きな電力損失が生じるので、２番目のパワーヒューズ６０の経路を定常的に使うことはできない。つまり、１番目のパワーヒューズ５０が溶断しない限り、２番目のパワーヒューズ６０の経路にはほとんど電流が流れず、１番目のパワーヒューズ５０だけが接続されている場合と大きな差異はない。
【００１９】
本発明は、上述した事情に鑑みてなされたものであり、その目的は、部品の誤接続が生じているような場合に確実に回路を遮断すると共に、溶断により回路の復旧が容易にできない状況が頻繁に生じるのを防止することが可能な電流遮断装置を提供することにある。
【課題を解決するための手段】
【００２０】
前述した目的を達成するために、本発明に係る電流遮断装置は、下記（１）〜（４）を特徴としている。
【００２１】
（１）  第１の規定値以上の過電流に対して物理的に回路を遮断する第１の電流遮断器と、
前記第１の規定値とは異なる第２の規定値以上の過電流に対して物理的に回路を遮断する第２の電流遮断器と、
を備え、前記第１の電流遮断器と前記第２の電流遮断器とが並列接続され、電源電流の経路上に配置される、
ことを特徴とする電流遮断装置。
（２）  前記第１の電流遮断器および前記第２の電流遮断器の各々がヒュージブルリンクであり、
前記第１の規定値を、前記第２の規定値よりも小さく、かつ、前記第１の電流遮断器の電気抵抗を、前記第２の電流遮断器の電気抵抗よりも小さく定めてある、
ことを特徴とする上記（１）に記載の電流遮断装置。
（３）  前記第１の規定値および前記第２の規定値は、電源電流の前記通過経路上における全体の電流の所望の遮断値よりも小さい、
ことを特徴とする上記（１）または（２）に記載の電流遮断装置。
（４）  前記第１の電流遮断器と前記第２の電流遮断器とによって構成された並列回路の一端が車両に搭載された発電機と接続され、前記並列回路の他端が前記車両に搭載されたバッテリーと接続される、
ことを特徴とする上記（１）乃至（３）のいずれかに記載の電流遮断装置。
【００２２】
上記（１）の構成の電流遮断装置によれば、第１の電流遮断器および第２の電流遮断器が溶断する時に電源電流の通過経路全体に流れる過電流の大きさに比べて、第１の電流遮断器および第２の電流遮断器の容量を小さくすることができる。そのため、第１の電流遮断器および第２の電流遮断器における遮断電流の個体差によるばらつきを減らすことができ、所望の電流値で確実に回路を遮断することが可能になる。また、頻繁に溶断が生じるような事態も避けることができる。
上記（２）の構成の電流遮断装置によれば、溶断が生じる前の状態において、第２の電流遮断器の経路よりも第１の電流遮断器の経路に大きい電流が流れるので、第１の電流遮断器が先に溶断する状態を実現できる。そして、第１の電流遮断器の方が遮断電流の規定値が小さく、特性のばらつきが小さくなるので、ヒュージブルリンクの遮断精度を高めることができる。
上記（３）の構成の電流遮断装置によれば、電源電流の前記通過経路上における全体の電流の所望の遮断値よりも、第１の電流遮断器および第２の電流遮断器の規定値が小さいので、単一の電流遮断器を用いる場合と比べて、各電流遮断器の特性のばらつきが小さくなり、遮断精度を高めることができる。
上記（４）の構成の電流遮断装置によれば、車両上のバッテリーが逆極性で接続されたような場合に、比較的小さい過電流に対しても、確実に回路を遮断することが可能になる。
【発明の効果】
【００２３】
本発明の電流遮断装置によれば、部品の誤接続が生じているような場合に確実に回路を遮断すると共に、溶断により回路の復旧が容易にできない状況が頻繁に生じるのを防止することが可能である。すなわち、前記第１の電流遮断器および前記第２の電流遮断器を並列に接続することにより、電流の遮断精度を高めることができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は、本発明の実施形態にに係る電流遮断装置の構成例を示す電気回路図である。
【図２】図２は、一般的なヒュージブルリンクを用いた車両の電源回路の構成例を示す電気回路図である。
【発明を実施するための形態】
【００２６】
本発明に関する具体的な実施形態について、各図を参照しながら以下に説明する。
【００２７】
まず、装置の構成例について説明する。
本発明の実施形態における電流遮断装置１０の構成例を図１に示す。図１に示した電気回路は、一般的な車両に搭載される電源の主要箇所に実施形態の電流遮断装置１０を接続した状態を表している。
【００２８】
図１に示すように、車両の電源は、主要な構成要素として、オルタネータ２１およびバッテリー２６を備えている。オルタネータ２１は、車両のエンジン等の駆動力により回動し発電する。また、図示しないがオルタネータ２１には整流用のダイオードが内蔵されており、直流の電源電力がオルタネータ２１から供給されるようになっている。
【００２９】
オルタネータ２１の正極端子２１ａは、ワイヤハーネスの一部分である上流側電線２２に接続されている。また、オルタネータ２１の負極端子２１ｂは、アース２３と接続されている。
【００３０】
上流側電線２２は、電流遮断装置１０を介して下流側電線２４と接続されている。下流側電線２４には負荷２５およびバッテリー２６が接続されている。本来であれば、バッテリー２６は正極端子２６ｐが下流側電線２４と接続され、負極端子２６ｎがアース２３と接続されるが、図１では、作業ミス等に起因して誤って反対の極性でバッテリー２６を接続した状態を示している。
【００３１】
図１に示した構成において、電流遮断装置１０は、回路のショートなどの異常が発生したときに、上流側電線２２を含むワイヤハーネスに流れる過電流により、ワイヤハーネスが過熱するのを防止するための機能を有している。
【００３２】
この機能には、図１に示したようにバッテリー２６を逆極性で接続した場合の保護機能も含まれている。つまり、図１に示した状態では、オルタネータ２１とバッテリー２６とが電気的に直列に接続されているので、回路のショートが生じた場合と同様に、過大な電流が定常的に流れる。この過大な電流を阻止するために電流遮断装置１０が回路を遮断する必要がある。
【００３３】
但し、バッテリー２６を逆極性で接続した場合に流れる過電流は、回路のショートが生じた場合と比べて小さくなる傾向がある。そのため、例えば図２に示したように一般的な機械的なヒュージブルリンクＦＬを接続した場合には、バッテリーが逆極性で接続されている場合であっても、ヒュージブルリンクＦＬが溶断しない場合がある。
【００３４】
特に、容量の大きい（遮断電流の定格値が大きい）ヒュージブルリンクを採用している場合には、ヒュージブルリンクの個体差による遮断電流のばらつきが大きくなるため、バッテリーを逆極性で接続した場合に流れる過電流に対しては溶断しない可能性が考えられる。
【００３５】
これに対し、本発明の実施形態に係る電流遮断装置１０は、図１に示すように、第１ヒュージブルリンク１３、および第２ヒュージブルリンク１４を備えている。第１ヒュージブルリンク１３は一端が分流部１１と接続され、他端が合流部１２と接続されている。同様に、第２ヒュージブルリンク１４も一端が分流部１１と接続され、他端が合流部１２と接続されている。つまり、第１ヒュージブルリンク１３と第２ヒュージブルリンク１４とが並列に接続されている。
【００３６】
したがって、オルタネータ２１から上流側電線２２を通って電流遮断装置１０に流れる電流ｉ１は、分流部１１で分流し、第１ヒュージブルリンク１３、および第２ヒュージブルリンク１４のそれぞれに流れる。また、第１ヒュージブルリンク１３を流れる電流ｉ２と第２ヒュージブルリンク１４を流れる電流ｉ３とが合流部１２で合流し、電流ｉ４として下流側電線２４を経由して負荷２５およびバッテリー２６側に流れる。
【００３７】
第１ヒュージブルリンク１３、および第２ヒュージブルリンク１４の各々は、一般的な機械的なヒュージブルリンクと同様の構成を有している。すなわち、ヒュージブルリンクは一般的な電線と同様の導電体で構成されているが、上流側および下流側に比べて非常に径が細い（断面積が小さい）ので、過大な電流が流れると発熱し溶断する。これにより、ヒュージブルリンク以外の箇所でワイヤハーネスが異常に過熱することを防止することができる。
【００３８】
一方、図１に示した電流遮断装置１０において、第１ヒュージブルリンク１３と、第２ヒュージブルリンク１４との間には仕様上の大きな違いがある。すなわち、第１ヒュージブルリンク１３の電気抵抗値（Ｒ１３）は、第２ヒュージブルリンク１４の電気抵抗値（Ｒ１４）よりも小さい。つまり、「Ｒ１３＜Ｒ１４」の関係を満たすように設計されている。更に、第１ヒュージブルリンク１３の遮断電流の定格値（Ｉmax１３）と、第２ヒュージブルリンク１４の遮断電流の定格値（Ｉmax１４）とは互いに異なり、「（Ｉmax１３）＜（Ｉmax１４）」の関係を満たすように設計されている。
【００３９】
遮断電流の定格値を小さくするためにはヒュージブルリンクの箇所の電線径を細くする必要がある。また、径を細くすると電線の電気抵抗値は大きくなる傾向がある。しかし、長さを短くすることで電気抵抗値を小さくすることができる。つまり、相対的な長さを調整することで、「Ｒ１３＜Ｒ１４」の関係を満たす、第１ヒュージブルリンク１３および第２ヒュージブルリンク１４を得ることができる。
【００４０】
次に、回路仕様の具体例を説明する。
オルタネータ２１における定格最大電流ＩmaxALTを２００［Ａ］とする。但し、短時間であれば更に大きい電流が流れるのを許容する。
【００４１】
バッテリー２６が逆極性で接続された場合に上流側電線２２等に流れる電流ｉ１の規定値Ｉmax２を３５０［Ａ］とする。
【００４２】
上記の条件においては、上流側電線２２を流れる電流ｉ１が定格最大電流ＩmaxALT（２００［Ａ］）を超える時に過電流が流れているとみなすことができる。しかし、ヒュージブルリンクが溶断すると、部品を交換しない限り元の状態に復旧させることができないので、何らかの原因により一時的に大電流が流れたとしても、頻繁に溶断が生じるような事態は避けなければならない。したがって、ワイヤハーネスで過熱が生じるのを確実に防止できる程度の電流、例えば定格最大電流ＩmaxALT（２００［Ａ］）の２倍の４００［Ａ］で電流遮断装置１０が回路を遮断するように設計することが想定される。但し、バッテリー２６が逆極性で接続された場合に確実に電流を遮断するためには、前記規定値Ｉmax２（３５０［Ａ］）以下の電流で確実に遮断することが必要になる。また、電流遮断装置１０の特性のばらつきが大きい場合には、もう少し余裕を持たせないと確実に電流を遮断することができない。しかし、遮断電流の定格値を小さくすると、バッテリー２６が逆極性で接続されていない場合であっても、頻繁にヒュージブルリンクの溶断が生じることになる。
【００４３】
上記の事項を考慮して電流遮断装置１０の仕様を決定する。そして、図１に示すように比較的容量の小さい第１ヒュージブルリンク１３と第２ヒュージブルリンク１４とを並列に接続して電流遮断装置１０を構成する。
【００４４】
また、第１ヒュージブルリンク１３および第２ヒュージブルリンク１４のいずれも溶断していない状態で、第１ヒュージブルリンク１３の経路に電流が集中的に流れるように、電気抵抗の比率を定める。つまり、前述の「Ｒ１３＜Ｒ１４」の関係を満たすように第１ヒュージブルリンク１３の特性および第２ヒュージブルリンク１４の特性を決定する。
【００４５】
また、前記電気抵抗値Ｒ１３、Ｒ１４の比率と、電流遮断装置１０が遮断する電流の定格値（例えば３００［Ａ］）とに基づいて、第１ヒュージブルリンク１３の遮断電流の規定値（Ｉmax１３）、および第２ヒュージブルリンク１４の遮断電流の規定値（Ｉmax１４）を決定する。
【００４６】
図１に示した例では、第１ヒュージブルリンク１３の遮断電流の規定値（Ｉmax１３）が１８０［Ａ］、第２ヒュージブルリンク１４の遮断電流の規定値（Ｉmax１４）が２２０［Ａ］の場合を想定している。
【００４７】
次に、装置の動作を説明する。
図１に示すように、バッテリー２６が逆極性で接続されている場合には、上流側電線２２に流れる電流ｉ１が、例えば３５０［Ａ］程度になる。この電流ｉ１は、分流部１１で２つの経路の電流ｉ２、ｉ３に分流して、第１ヒュージブルリンク１３、および第２ヒュージブルリンク１４に流れる。
【００４８】
ここで、「Ｒ１３＜Ｒ１４」の関係により、「ｉ２＞ｉ３」になる。つまり、第１ヒュージブルリンク１３側に集中的に電流が流れる。例えば、「（Ｒ１３×２）＝Ｒ１４」の条件を想定すると、「ｉ２＝（ｉ３×２）」の状態になる。
【００４９】
したがって、全体の電流ｉ１が３００［Ａ］の時に、「ｉ２＝２００［Ａ］」になり、第１ヒュージブルリンク１３の遮断電流の規定値（Ｉmax１３：１８０［Ａ］）を超えているので、第１ヒュージブルリンク１３が溶断してこの電流経路を遮断する。また、この時は「ｉ３＝１００［Ａ］」であり、第２ヒュージブルリンク１４は溶断しない。
【００５０】
そして、第１ヒュージブルリンク１３が溶断した後は、全体の電流ｉ１が、そのまま電流ｉ３として第２ヒュージブルリンク１４に流れるので、電流ｉ３（３００［Ａ］）が第２ヒュージブルリンク１４の遮断電流の規定値（Ｉmax１４：２２０［Ａ］）を超え、第２ヒュージブルリンク１４が溶断する。これにより電流遮断装置１０の全経路が遮断され、全体の電流ｉ１が遮断され回路が保護される。
【００５１】
＜電流遮断装置１０の利点＞
図１に示した電流遮断装置１０は、複数のヒュージブルリンク（第１ヒュージブルリンク１３、第２ヒュージブルリンク１４）を並列に接続してあるので、単一のヒュージブルリンクを用いる場合と比べると、第１ヒュージブルリンク１３および第２ヒュージブルリンク１４の容量を小さくすることができる。したがって、第１ヒュージブルリンク１３および第２ヒュージブルリンク１４の個体差に起因する遮断電流のばらつきが小さくなり、高精度の電流遮断制御が可能になる。
【００５２】
したがって、例えば図１に示すようにバッテリー２６が逆極性で接続された場合に流れる過電流が比較的小さい（例えば３００［Ａ］）場合であっても、確実に回路を遮断することが可能になる。また、遮断電流のばらつきが小さいため、何らかの原因により一時的に過電流が流れたとしても、頻繁にヒュージブルリンクが溶断するような事態が生じないように適切な設計を行うことが可能になる。
【００５３】
ここで、上述した本発明に係る電流遮断装置の実施形態の特徴をそれぞれ以下［１］〜［４］に簡潔に纏めて列記する。
［１］  第１の規定値以上の過電流に対して物理的に回路を遮断する第１の電流遮断器（第１ヒュージブルリンク１３）と、
前記第１の規定値とは異なる第２の規定値以上の過電流に対して物理的に回路を遮断する第２の電流遮断器（第２ヒュージブルリンク１４）と、
を備え、前記第１の電流遮断器と前記第２の電流遮断器とが並列接続され、電源電流の経路上に配置される、
ことを特徴とする電流遮断装置（１０）。
【００５４】
［２］  前記第１の電流遮断器および前記第２の電流遮断器の各々がヒュージブルリンクであり、
前記第１の規定値を、前記第２の規定値よりも小さく、かつ、前記第１の電流遮断器の電気抵抗（電気抵抗値Ｒ１３）を、前記第２の電流遮断器の電気抵抗（電気抵抗値Ｒ１４）よりも小さく定めてある、
ことを特徴とする上記［１］に記載の電流遮断装置。
【００５５】
［３］  前記第１の規定値（例えば１８０［Ａ］）および前記第２の規定値（例えば２２０［Ａ］）は、電源電流の前記通過経路上における全体の電流（ｉ１）の所望の遮断値（例えば３００［Ａ］）よりも小さい、
ことを特徴とする上記［１］または［２］に記載の電流遮断装置。
【００５６】
［４］  前記第１の電流遮断器と前記第２の電流遮断器とによって構成された並列回路の一端が車両に搭載された発電機（オルタネータ２１）と接続され、前記並列回路の他端が前記車両に搭載されたバッテリー（２６）と接続される、
ことを特徴とする上記［１］乃至［３］のいずれかに記載の電流遮断装置。
【符号の説明】
【００５７】
１０  電流遮断装置
１１  分流部
１２  合流部
１３  第１ヒュージブルリンク
１４  第２ヒュージブルリンク
２１  オルタネータ
２１ａ  正極端子
２１ｂ  負極端子
２２  上流側電線
２３  アース
２４  下流側電線
２５  負荷
２６  バッテリー
２６ｐ  正極端子
２６ｎ  負極端子
【図１】
2017139903.tif 000003
【図２】
2017139903.tif 000004